(57)【要約】【課題】カーテンウォール形式の外壁構造において外壁パネルの重量が当該外壁パネルの上部側でのみ伝達される外壁構造を提供する。【解決手段】外壁パネル５０の裏面には、当該外壁パネル５０を建物の躯体（梁４に接続された定規アングル４２）に取り付ける取付部１と、上配置の外壁パネル５０と下配置の外壁パネル５０とを連結する連結部２と、上記外壁パネル５０の高さを調整する高さ調整接合部３と、が備えられている。上記外壁パネル５０の高さを調整する高さ調整接合部３によって、上記外壁パネル５０の重量が当該外壁パネル５０の上部側でのみ建物の構造躯体（梁４）に伝達される。【選択図】図４
2015017477.tif 000002
【特許請求の範囲】
【請求項１】
建物の構造躯体の外側に外壁パネルが設けられるカーテンウォール形式の外壁構造において、上記外壁パネルの重量を上記構造躯体に受けさせる重量伝達部を上記外壁パネルの上部側の裏面にのみ備えていることを特徴とする外壁構造。
【請求項２】
請求項１に記載の外壁構造において、上記外壁パネルの裏面の下部側に設けられた締結部材が固定される支持部材が建物の基礎部に設けられていることを特徴とする外壁構造。
【請求項３】
請求項２に記載の外壁構造において、上記支持部材は上記外壁パネルの裏面に平行な立ち上げ片部を有しており、この立ち上げ片部に上記締結部材が上から入れられる凹部が形成されていることを特徴とする外壁構造。
【発明の詳細な説明】
【技術分野】
【０００１】
この発明は、建物の構造躯体の外側に外壁パネルが設けられるカーテンウォール形式の外壁構造に関する。
【背景技術】
【０００２】
特許文献１は、外壁パネル間の目地接合部の構造を開示している。具体的には、上側外壁パネルの屋内側下端面部にピン嵌合孔を設けると共に、下側外壁パネルの屋内側上端面部に、上端が上記ピン嵌合孔に嵌まり込む嵌合ピンを下部で埋め込み状態に設置し、この嵌合ピンに嵌合し螺子込み高さの調整により上記上側外壁パネルの屋内側下端面部を持ち上げて目地幅の調整を可能とする調整ナットを設けている。
【先行技術文献】
【特許文献】
【０００３】
【特許文献１】特開２０１０−２４２３２４号公報
【発明の概要】
【発明が解決しようとする課題】
【０００４】
しかしながら、上記従来の外壁構造は外壁パネルの重量が当該外壁パネルの下部側で伝達されるものであった。
【０００５】
この発明は、上記の事情に鑑み、カーテンウォール形式の外壁構造において外壁パネルの重量が当該外壁パネルの上部側でのみ伝達される外壁構造を提供することを課題とする。
【課題を解決するための手段】
【０００６】
この発明の外壁構造は、上記の課題を解決するために、建物の構造躯体の外側に外壁パネルが設けられるカーテンウォール形式の外壁構造において、上記外壁パネルの重量を上記構造躯体に受けさせる重量伝達部を上記外壁パネルの上部側の裏面にのみ備えていることを特徴とする。
【０００７】
上記の構成であれば、カーテンウォール形式の外壁構造において外壁パネルの重量が当該外壁パネルの上部側でのみ建物の構造躯体に伝達されるようになる。
【０００８】
上記外壁パネルの裏面の下部側に設けられた締結部材が固定される支持部材が建物の基礎部に設けられていてもよい。これによれば、建物の基礎部において、上記外壁パネルの下部側の支持がなされる。
【０００９】
上記支持部材は上記外壁パネルの裏面に平行な立ち上げ片部を有しており、この立ち上げ片部に上記締結部材が上から入れられる凹部が形成されていてもよい。これによれば、吊り上げた外壁パネルを基礎部上に配置するときに、上記外壁パネルの裏面の下部側に設けられた締結部材を上記支持部材に凹部に上から係止させることができるようになり、外壁パネルの設置作業が効率化する。
【発明の効果】
【００１０】
本発明であれば、外壁パネルの重量が当該外壁パネルの上部側でのみ建物の構造躯体に伝達される構造となるので、外壁パネルの下部側での重量支持構造が不要になり、全体構造が簡潔になるという効果を奏する。
【図面の簡単な説明】
【００１１】
【図１】本発明の実施形態の外壁構造を示した正面図である。
【図２】図１のＡ−Ａ矢視断面図である。
【図３】図１のＢ−Ｂ矢視断面図である。
【図４】図１のＣ−Ｃ矢視断面図である。
【図５】同図（Ａ）、（Ｂ）、（Ｃ）、（Ｄ）は、図１の外壁構造における基礎部の施工を示した説明図である。
【図６】本発明の実施形態の外壁構造で用いられる台座アングルの正面図である。
【図７】本発明の実施形態の外壁構造で用いられる目地位置調整プレートの正面図である。
【発明を実施するための形態】
【００１２】
以下、この発明の実施の形態を添付図面に基づいて説明する。
図１、図２、図３および図４に示すように、建物の構造躯体である梁４のフランジ４ａ上には床板５が設けられており、また、上記フランジ４ａの下面には断面Ｌ字状の延長部材４１が固定されている。そして、２つの面部をＬ字状に有した定規アングル４２が、一方の面部を上記延長部材４１上の端部に接合させ、他方の面部を外側に向けて立ち上げた状態で設けられている。
【００１３】
外壁パネル５０は、例えば、ガラス繊維補強コンクリート（ＧＲＣ）の成形品からなるパネル本体部の外面にタイル等の化粧面材を備えているとともに、当該パネル本体部内には、雌螺子部が形成された第１ナット部５０ａ、第２ナット部５０ｂ、第３ナット部５０ｃおよび第４ナット部５０ｄが埋設された構造を有する。また、上側に配置される外壁パネル５０の下面と下側に配置される外壁パネル５０の上端部には１次ガスケット５１および屋内側に位置する２次ガスケット５２が設けられている。
【００１４】
そして、上記外壁パネル５０の裏面には、当該外壁パネル５０を建物の躯体（梁４に接続された定規アングル４２）に取り付ける取付部１と、上配置の外壁パネル５０と下配置の外壁パネル５０とを連結する連結部２と、上記外壁パネル５０の高さを調整する高さ調整接合部３と、が備えられている。上記取付部１は上記外壁パネル５０の幅方向中央側に位置しており、上記高さ調整接合部３は上記外壁パネル５０の幅方向縁側に位置しており、上記取付部１と上記高さ調整接合部３との間に上記連結部２が位置している。
【００１５】
上記取付部１は、図２にも示すように、ボルト１１と稲妻プレート（Ｚプレート）１２とからなる。上記稲妻プレート１２には縦方向に長いルーズホール１２ａが形成されている。上記ボルト１１は、その螺子部を上記ルーズホール１２ａに通して上記第１ナット部５０ａの雌螺子部に螺合している。上記外壁パネル５０の裏面と上記稲妻プレート１２との間に上記定規アングル４２の立ち上げ面部（他方の面部）が位置している。
【００１６】
上記ボルト１１を締めつけることにより、上記稲妻プレート１２によって、上記外壁パネル５０の裏面が上記定規アングル４２の立ち上げ面部（他方の面部）へと押し当てられ、上記外壁パネル５０が上記定規アングル４２を介して梁４に固定（ロッキング）される。すなわち、上記取付部１は、上記外壁パネル５０を、パネル面外方向に保持しパネル面内方向への移動を可能とするように、建物の躯体に取り付ける。
【００１７】
上記連結部２は、図１に示したように、上記取付部１の外側位置に２個設けられている。そして、上記連結部２のＬアングル形状のファスナー２１の上端には、図３にも示すように、上配置の外壁パネル５０の裏面の下側の上記第２ナット部５０ｂに装着されるボルトである下側締結部材２２が設けられており、上記ファスナー２１の下端には下配置の外壁パネル５０の裏面の上側の上記第３ナット部５０ｃに装着されるボルトである上側締結部材２３が設けられている。すなわち、上記下側締結部材２２および上側締結部材２３は上記ファスナー２１に形成された挿通孔を通して上記第２、第３ナット部５０ｂ、５０ｃに装着されている。また、上記上側締結部材２３には、上記外壁パネル５０の裏面と上記ファスナー２１との間においてスペーサ２６が外嵌されている。上記連結部２の上端部側の挿通孔は、上記下側締結部材２２が上から入るようにカット部２１ａになっている。また、上記下側締結部材２２から上記外壁パネル５０の重量がカット部２１ａにかからないように上記カット部２１ａの長さが長くされて隙間が形成されるようになっている。
【００１８】
また、上記ファスナー２１の上記上配置の外壁パネル５０の裏面に対向する箇所にはねじ孔が形成されており、このねじ孔には上記上配置の外壁パネル５０の出入り調整部となる出入り調整ボルト２４が螺合されている。上記出入り調整ボルト２４の先端部は上記外壁パネル５０の裏面に接触する。また、上記ファスナー２１の上記下配置の外壁パネル５０の裏面に対向する箇所にもねじ孔が形成されており、このねじ孔には回転防止ボルト２５が螺合されている。上記回転防止ボルト２５は、上記下側締結部材２２の未係止状態で上記連結部２のファスナー２１が回転するのを防止する。
【００１９】
上記高さ調整接合部３は、図４にも示すように、Ｌアングル部材３１と、このＬアングル部材３１の立ち上げ片に横に挿通された接合ボルト３２と、同じく上記Ｌアングル部材３１の立ち上げ片に横に螺合貫通された出入り調整ボルト３３と、上記Ｌアングル部材３１の水平片に縦に螺合貫通された高さ調整ボルト３４と、からなる。上記接合ボルト３２は上記下配置の外壁パネル５０の上側に設けられた第４ナット部５０ｄに螺合している。また、上記接合ボルト３２には上記外壁パネル５０の裏面と上記Ｌアングル部材３１の立ち上げ片との間において２個のナットが螺合されている。また、上記高さ調整接合部３は、上記１本の接合ボルト３２で外壁パネル５０に固定され、上記高さ調整ボルト３４を、上記１本の接合ボルト３２の鉛直線から左右に等間隔をおいて２本備えた構成になっている。各高さ調整ボルト３４の先端部は、上記定規アングル４２の水平片に上から接触する。また、上記出入り調整ボルト３３の先端部は、上記定規アングル４２の立ち上げ片に横から接触する。
【００２０】
図５に示すように、１階外壁パネル５０の裏面の下部側にボルト６１とナット６２からなる締結部材６が凸設されている。具体的には、上記１階外壁パネル５０の裏面には第５ナット部５０ｅが埋め込まれており、この第５ナット部５０ｅに上記ボルト６１が螺合されている。上記ボルト６１の頭部と上記ナット６２との間が締め付け領域となる。なお、第５ナット部５０ｅを設けずに、上記第２ナット部５０ｂを用いてもよい。
【００２１】
一方、建物の基礎部７０には、図６にも示しているＬアングルからなる台座アングル（支持部材）７１が固定されており、この台座アングル７１に上記締結部材６が固定される。上記台座アングル７１は上記外壁パネル５０の裏面に平行な立ち上げ片部７１ａを有しており、この立ち上げ片部７１ａに上記締結部材６が上から入れられる凹部７１ｂが形成されている。各凹部７１ｂの幅は誤差吸収のために上記ボルト６１のねじ部の幅よりも広くなっている。
【００２２】
図５（Ａ）に示したように、吊り上げ状態の１階外壁パネル５０を落とし込む前に上記締結部材６を第５ナット部５０ｅに留めておく。そして、図５（Ｂ）に示すように、上記台座アングル７１の凹部７１ｂに上記締結部材６のボルト６１を挿入し、高さ調整並びに位置合せを行う。次に、図５（Ｃ）に示すように、上記台座アングル７１の立ち上げ片部と上記ボルト６１の頭部との間に目地位置調整プレート６３を挿入する。この目地位置調整プレート６３は図７に示すように、方形状の板部材にカット部６３ａが形成されたものである。また、上記カット部６３ａの幅は上記ボルト６１のねじ部の幅と同程度の広さになっている。上記目地位置調整プレート６３を挿入した後、上記ボルト６１を締めることにより、１階外壁パネル５０を所定の位置まで引き寄せる。そして、上記ナット６２を回転させ、出入りの動きを固定する。次に、図５（Ｄ）に示すように、目地調整後、目地位置調整プレート６３を溶接し、目地位置の動きを固定する。ここで、上記ボルト６１と上記凹部７１ｂの下端との間には隙間が形成されるようにしてあり、上記１階外壁パネル５０の重量が上記台座アングル７１に加わらないようになっている。
【００２３】
上記の構成であれば、上記外壁パネル５０の高さを調整する高さ調整接合部３によって、上記外壁パネル５０の重量が当該外壁パネル５０の上部側でのみ建物の構造躯体（梁４）に伝達されるようになる。
【００２４】
上記外壁パネル５０の裏面の下部側に凸設された締結部材６が固定される上記台座アングル（支持部材）７１が建物の基礎部７０に設けられていると、この基礎部７０において上記外壁パネル５０の下部側の支持がなされる。
【００２５】
上記台座アングル（支持部材）７１が上記凹部７１ｂを有すると、吊り上げた外壁パネル５０を基礎部７０上に配置するときに、上記外壁パネル５０の上記締結部材６を上記台座アングル７１の凹部７１ｂに上から係止させることができるようになり、外壁パネル５０の設置作業が効率化する。
【００２６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００２７】
１      取付部
１１    ボルト
１２    稲妻プレート
２      連結部
２１    ファスナー
２２    下側締結部材
２３    上側締結部材
２４    出入り調整ボルト
２５    回転防止ボルト
３      高さ調整接合部
３１    Ｌアングル部材
３２    接合ボルト
３３    出入り調整ボルト
３４    高さ調整ボルト
４      梁
５０    外壁パネル
６      締結部材
６１    ボルト
６２    ナット
７０    基礎部
７１    台座アングル（支持部材）
７１ａ  凹部
【図１】
2015017477.tif 000003
【図２】
2015017477.tif 000004
【図３】
2015017477.tif 000005
【図４】
2015017477.tif 000006
【図５】
2015017477.tif 000007
【図６】
2015017477.tif 000008
【図７】
2015017477.tif 000009